(57)【要約】【課題】組付け部材同士の誤組付けを検知すること。【解決手段】外周壁１１，２１が成す開口１０ａ，２０ａの環状の周縁部１０ｃ，２０ｂ同士を嵌め合わせる第１分割筐体１０と第２分割筐体２０とを少なくとも備え、第１分割筐体は、切欠き部５２が形成された第１外壁体５１を有する第１組付け部材５０と、切欠き部を埋め、かつ、第１外壁体５１と共に外周壁１１を成す第２外壁体６１を有する第２組付け部材６０と、第１組付け部材及び第２組付け部材を組付け完了状態のまま保持するロック構造７０と、を備え、ロック構造の第１係合体７１は、第１組付け部材における切欠き部よりも内側に設け、ロック構造の第２係合体７２は、可撓性を持つ第２外壁体の内壁面側に設け、周縁部２０ｂは、第１分割筐体及び第２分割筐体が嵌合完了状態のときに第２外壁体の外壁面における第２係合体とは逆側に嵌合させる第２嵌合部２４を有すること。【選択図】図２
2020036497.tif 000002
【特許請求の範囲】
【請求項１】
組み付けられた複数の分割筐体によって内方に電子部品の収容室が形成され、かつ、前記電子部品に対して電気的に接続された電線を外方に引き出させる筐体を備え、
前記筐体は、複数の前記分割筐体として、外周壁が成す開口の環状の周縁部同士を嵌め合わせる第１分割筐体と第２分割筐体とを少なくとも備え、
前記第１分割筐体は、切欠き部が形成された第１外壁体を有する第１組付け部材と、前記第１組付け部材への組付けに伴い前記切欠き部を埋め、かつ、前記第１外壁体と共に前記第１分割筐体の前記外周壁を成す第２外壁体を有する第２組付け部材と、前記第１組付け部材及び前記第２組付け部材を組付け完了状態のまま保持するロック構造と、を備え、
前記第２外壁体は、自らの内壁面及び外壁面に対する交差方向への撓みが可能な可撓性を有し、
前記ロック構造は、前記第１組付け部材及び前記第２組付け部材が前記組付け完了状態となったときに、前記第２外壁体の前記内壁面及び前記外壁面に沿う係止方向で互いに係止し合って完全係合状態となり、前記第１組付け部材及び前記第２組付け部材を前記組付け完了状態のまま保持する前記第１組付け部材の第１係合体と前記第２組付け部材の第２係合体とを備え、
前記第１係合体は、前記第１組付け部材における前記切欠き部よりも内側に設け、
前記第２係合体は、前記第２外壁体の前記内壁面側に設け、
前記第２分割筐体の前記外周壁における前記周縁部は、前記第１分割筐体及び前記第２分割筐体が嵌合完了状態のときに前記第１分割筐体の前記外周壁における前記周縁部の外壁面に嵌合させる環状の第１嵌合部と、前記第１分割筐体及び前記第２分割筐体が前記嵌合完了状態のときに前記第２外壁体の前記外壁面における前記第２係合体とは逆側に嵌合させる第２嵌合部と、を有することを特徴とした電気接続箱。
【請求項２】
前記第２嵌合部は、前記第１分割筐体及び前記第２分割筐体が前記嵌合完了状態のときに、前記第２外壁体の前記外壁面における前記第２係合体とは逆側に嵌合状態で対向配置させることを特徴とした請求項１に記載の電気接続箱。
【請求項３】
前記第１係合体と前記第２係合体は、各々、前記第１組付け部材及び前記第２組付け部材が前記組付け完了状態のときに前記係止方向で互いに係止し合う係止部を有し、かつ、それぞれの前記係止部が前記係止方向に対する交差方向で互いに乗り上げている半係合状態のときに前記第２外壁体を撓ませ、前記第１分割筐体及び前記第２分割筐体を嵌合させる際の前記第２分割筐体の前記外周壁における前記周縁部の嵌合軌跡に前記第２外壁体を食い込ませるものとして形成することを特徴とした請求項１又は２に記載の電気接続箱。
【請求項４】
それぞれの前記係止部の内の少なくとも一方は、係止対象となる相手方に向けて突出させることを特徴とした請求項３に記載の電気接続箱。
【請求項５】
前記第１組付け部材と前記第２組付け部材は、前記係止方向に対する逆向きの組付け方向に沿って互いに組み付けられるものとして形成し、
それぞれの前記係止部は、前記第１組付け部材及び前記第２組付け部材の組付け動作に連動して互いに乗り上げた後で乗り越え、その乗り越え後の状態のときに前記係止方向で互いに係止し合って前記第１係合体及び前記第２係合体を前記完全係合状態にするものとして形成することを特徴とした請求項３又は４に記載の電気接続箱。
【請求項６】
電子部品と、
前記電子部品に対して電気的に接続された電線と、
組み付けられた複数の分割筐体によって内方に前記電子部品の収容室が形成され、かつ、前記電線を外方に引き出させる筐体と、
を備え、
前記筐体は、複数の前記分割筐体として、外周壁が成す開口の環状の周縁部同士を嵌め合わせる第１分割筐体と第２分割筐体とを少なくとも備え、
前記第１分割筐体は、切欠き部が形成された第１外壁体を有する第１組付け部材と、前記第１組付け部材への組付けに伴い前記切欠き部を埋め、かつ、前記第１外壁体と共に前記第１分割筐体の前記外周壁を成す第２外壁体を有する第２組付け部材と、前記第１組付け部材及び前記第２組付け部材を組付け完了状態のまま保持するロック構造と、を備え、
前記第２外壁体は、自らの内壁面及び外壁面に対する交差方向への撓みが可能な可撓性を有し、
前記ロック構造は、前記第１組付け部材及び前記第２組付け部材が前記組付け完了状態となったときに、前記第２外壁体の前記内壁面及び前記外壁面に沿う係止方向で互いに係止し合って完全係合状態となり、前記第１組付け部材及び前記第２組付け部材を組付け完了状態のまま保持する前記第１組付け部材の第１係合体と前記第２組付け部材の第２係合体とを備え、
前記第１係合体は、前記第１組付け部材における前記切欠き部よりも内側に設け、
前記第２係合体は、前記第２外壁体の前記内壁面側に設け、
前記第２分割筐体の前記外周壁における前記周縁部は、前記第１分割筐体及び前記第２分割筐体が嵌合完了状態のときに前記第１分割筐体の前記外周壁における前記周縁部の外壁面に嵌合させる環状の第１嵌合部と、前記第１分割筐体及び前記第２分割筐体が前記嵌合完了状態のときに前記第２外壁体の前記外壁面における前記第２係合体とは逆側に嵌合させる第２嵌合部と、を有することを特徴としたワイヤハーネス。
【発明の詳細な説明】
【技術分野】
【０００１】
本発明は、電気接続箱及びワイヤハーネスに関する。
【背景技術】
【０００２】
従来、電気接続箱は、電子部品や電線を内方に収容し、その電線を外方に引き出させることによって、その電子部品を外部の接続対象物に対して電気的に接続させる。この電気接続箱は、その電子部品や電線と共にワイヤハーネスを構成する。ここで、この電気接続箱は、複数の分割筐体が組み付けられて成る筐体を備えており、その筐体の内方に電子部品や電線の収容室を有している。その筐体は、複数の分割筐体の外周壁が成す開口の環状の周縁部同士を嵌め合わせることによって形成される。また、分割筐体については、複数の組付け部材を組み付けることによって形成されるものもある。例えば、下記の特許文献１には、この種の分割筐体を備えた電気接続箱について開示されている。この特許文献１の電気接続箱においては、或る１つの組付け部材の外周壁に切欠き部を設け、その切欠き部を埋めるが如く別の組付け部材を組み付けることによって、１つの分割筐体を形成している。
【先行技術文献】
【特許文献】
【０００３】
【特許文献１】特開２００９−２０７２２２号公報
【発明の概要】
【発明が解決しようとする課題】
【０００４】
ところで、分割筐体は、複数の組付け部材から成る場合、それぞれの組付け部材同士が正しい位置関係で組み付けられていなければならない。例えば、筐体においては、それぞれの組付け部材同士が正しい位置関係で組み付けられていなければ、分割筐体同士の組付けが上手くいかなかったり、それぞれの組付け部材の隙間から異物が入り込んだりする可能性がある。
【０００５】
そこで、本発明は、組付け部材同士の誤組付けを検知可能な電気接続箱及びワイヤハーネスを提供することを、その目的とする。
【課題を解決するための手段】
【０００６】
上記目的を達成するため、本発明に係る電気接続箱は、組み付けられた複数の分割筐体によって内方に電子部品の収容室が形成され、かつ、前記電子部品に対して電気的に接続された電線を外方に引き出させる筐体を備え、前記筐体は、複数の前記分割筐体として、外周壁が成す開口の環状の周縁部同士を嵌め合わせる第１分割筐体と第２分割筐体とを少なくとも備え、前記第１分割筐体は、切欠き部が形成された第１外壁体を有する第１組付け部材と、前記第１組付け部材への組付けに伴い前記切欠き部を埋め、かつ、前記第１外壁体と共に前記第１分割筐体の前記外周壁を成す第２外壁体を有する第２組付け部材と、前記第１組付け部材及び前記第２組付け部材を組付け完了状態のまま保持するロック構造と、を備え、前記第２外壁体は、自らの内壁面及び外壁面に対する交差方向への撓みが可能な可撓性を有し、前記ロック構造は、前記第１組付け部材及び前記第２組付け部材が前記組付け完了状態となったときに、前記第２外壁体の前記内壁面及び前記外壁面に沿う係止方向で互いに係止し合って完全係合状態となり、前記第１組付け部材及び前記第２組付け部材を前記組付け完了状態のまま保持する前記第１組付け部材の第１係合体と前記第２組付け部材の第２係合体とを備え、前記第１係合体は、前記第１組付け部材における前記切欠き部よりも内側に設け、前記第２係合体は、前記第２外壁体の前記内壁面側に設け、前記第２分割筐体の前記外周壁における前記周縁部は、前記第１分割筐体及び前記第２分割筐体が嵌合完了状態のときに前記第１分割筐体の前記外周壁における前記周縁部の外壁面に嵌合させる環状の第１嵌合部と、前記第１分割筐体及び前記第２分割筐体が前記嵌合完了状態のときに前記第２外壁体の前記外壁面における前記第２係合体とは逆側に嵌合させる第２嵌合部と、を有することを特徴としている。
【０００７】
ここで、前記第２嵌合部は、前記第１分割筐体及び前記第２分割筐体が前記嵌合完了状態のときに、前記第２外壁体の前記外壁面における前記第２係合体とは逆側に嵌合状態で対向配置させることが望ましい。
【０００８】
また、前記第１係合体と前記第２係合体は、各々、前記第１組付け部材及び前記第２組付け部材が前記組付け完了状態のときに前記係止方向で互いに係止し合う係止部を有し、かつ、それぞれの前記係止部が前記係止方向に対する交差方向で互いに乗り上げている半係合状態のときに前記第２外壁体を撓ませ、前記第１分割筐体及び前記第２分割筐体を嵌合させる際の前記第２分割筐体の前記外周壁における前記周縁部の嵌合軌跡に前記第２外壁体を食い込ませるものとして形成することが望ましい。
【０００９】
また、それぞれの前記係止部の内の少なくとも一方は、係止対象となる相手方に向けて突出させることが望ましい。
【００１０】
また、前記第１組付け部材と前記第２組付け部材は、前記係止方向に対する逆向きの組付け方向に沿って互いに組み付けられるものとして形成し、それぞれの前記係止部は、前記第１組付け部材及び前記第２組付け部材の組付け動作に連動して互いに乗り上げた後で乗り越え、その乗り越え後の状態のときに前記係止方向で互いに係止し合って前記第１係合体及び前記第２係合体を前記完全係合状態にするものとして形成することが望ましい。
【００１１】
また、上記目的を達成するため、本発明に係るワイヤハーネスは、電子部品と、前記電子部品に対して電気的に接続された電線と、組み付けられた複数の分割筐体によって内方に前記電子部品の収容室が形成され、かつ、前記電線を外方に引き出させる筐体と、を備え、前記筐体は、複数の前記分割筐体として、外周壁が成す開口の環状の周縁部同士を嵌め合わせる第１分割筐体と第２分割筐体とを少なくとも備え、前記第１分割筐体は、切欠き部が形成された第１外壁体を有する第１組付け部材と、前記第１組付け部材への組付けに伴い前記切欠き部を埋め、かつ、前記第１外壁体と共に前記第１分割筐体の前記外周壁を成す第２外壁体を有する第２組付け部材と、前記第１組付け部材及び前記第２組付け部材を組付け完了状態のまま保持するロック構造と、を備え、前記第２外壁体は、自らの内壁面及び外壁面に対する交差方向への撓みが可能な可撓性を有し、前記ロック構造は、前記第１組付け部材及び前記第２組付け部材が前記組付け完了状態となったときに、前記第２外壁体の前記内壁面及び前記外壁面に沿う係止方向で互いに係止し合って完全係合状態となり、前記第１組付け部材及び前記第２組付け部材を組付け完了状態のまま保持する前記第１組付け部材の第１係合体と前記第２組付け部材の第２係合体とを備え、前記第１係合体は、前記第１組付け部材における前記切欠き部よりも内側に設け、前記第２係合体は、前記第２外壁体の前記内壁面側に設け、前記第２分割筐体の前記外周壁における前記周縁部は、前記第１分割筐体及び前記第２分割筐体が嵌合完了状態のときに前記第１分割筐体の前記外周壁における前記周縁部の外壁面に嵌合させる環状の第１嵌合部と、前記第１分割筐体及び前記第２分割筐体が前記嵌合完了状態のときに前記第２外壁体の前記外壁面における前記第２係合体とは逆側に嵌合させる第２嵌合部と、を有することを特徴としている。
【発明の効果】
【００１２】
本発明に係る電気接続箱においては、第１分割筐体及び第２分割筐体が嵌合完了状態のときに、第１分割筐体におけるロック構造を第２分割筐体の第２嵌合部で覆い、かつ、そのロック構造の第１係合体が設けられた第２外壁体の外壁面に第２嵌合部を嵌合状態で対向配置させる。このため、第１分割筐体と第２分割筐体とを嵌合させる際には、第１係合体と第２係合体が半係合状態のときに、可撓性を持つ第２外壁体が外側に撓むので、第２嵌合部が第２外壁体に当接し、第１分割筐体と第２分割筐体が嵌合完了状態にまで至らない。本発明に係る電気接続箱においては、その結果を以て、第１係合体と第２係合体が半係合状態であり、第１組付け部材と第２組付け部材が組付け完了状態になっていないことを検知できる。更に、本発明に係るワイヤハーネスは、その電気接続箱を備えているので、この電気接続箱が奏する効果を同様に得ることができる。
【図面の簡単な説明】
【００１３】
【図１】図１は、実施形態の電気接続箱及びワイヤハーネスを示す斜視図である。
【図２】図２は、図１のＸ−Ｘ線断面図である。
【図３】図３は、実施形態の電気接続箱を示す分解斜視図である。
【図４】図４は、第１分割筐体の分解斜視図で且つ切欠き部周辺の部分拡大図である。
【図５】図５は、第１分割筐体の切欠き部周辺の部分拡大図である。
【図６】図６は、第２組付け部材を示す分解斜視図である。
【発明を実施するための形態】
【００１４】
以下に、本発明に係るロック構造、電気接続箱及びワイヤハーネスの実施形態を図面に基づいて詳細に説明する。尚、この実施形態によりこの発明が限定されるものではない。
【００１５】
［実施形態］
本発明に係る電気接続箱及びワイヤハーネスの実施形態の１つを図１から図６に基づいて説明する。
【００１６】
図１から図３の符号１は、本実施形態の電気接続箱を示す。また、図１の符号ＷＨは、その電気接続箱１を備えた本実施形態のワイヤハーネスを示す。
【００１７】
本実施形態の電気接続箱１は、電子部品ＥＰと、この電子部品ＥＰに対して電気的に接続された電線（電力供給線や信号線等）Ｗｅと、が収容される筐体Ｃａを備える（図３）。この電気接続箱１は、その電子部品ＥＰに対して電線Ｗｅを介して接続対象物（図示略）を電気的に接続させる。この電気接続箱１においては、筐体Ｃａの内部で電線Ｗｅが電子部品ＥＰに対して電気的に接続されており、その筐体Ｃａの内方から外方に引き出された電線Ｗｅを介して電子部品ＥＰが接続対象物に対して電気的に接続される。電気接続箱１は、その電子部品ＥＰや電線Ｗｅと共にワイヤハーネスＷＨを成す。
【００１８】
ここで、電子部品ＥＰとは、例えば、リレー、ヒューズ等の回路保護部品、コネクタ、端子金具などのことを指している。ここでは、回路基板、電子制御ユニット（所謂ＥＣＵ）等の電子機器についても、電子部品ＥＰの一形態として考える。また、接続対象物とは、二次電池などの電源、電気機器（アクチュエータ等）などの負荷、センサなどのことを指している。電気接続箱１においては、例えば、或る電線Ｗｅが電源に対して電気的に接続され、かつ、これとは別の電線Ｗｅが負荷に対して電気的に接続されており、その電源と負荷とを電子部品ＥＰを介して電気的に繋いでいる。
【００１９】
筐体Ｃａは、合成樹脂等の絶縁性材料で成形する。この筐体Ｃａは、複数の分割筐体を互いに組み付けることによって形成される収容箱であり（図１から図３）、電子部品ＥＰ及び電線Ｗｅが収容される収容室Ｃａ１を有する（図３）。この筐体Ｃａにおいては、その組み付けられた複数の分割筐体によって内方に電子部品ＥＰの収容室Ｃａ１が形成される。
【００２０】
この筐体Ｃａは、その複数の分割筐体として、外周壁が成す開口の環状の周縁部同士を嵌め合わせる第１分割筐体と第２分割筐体とを少なくとも備える。この例示では、複数の分割筐体として、第１分割筐体１０と第２分割筐体２０と第３分割筐体３０とを備えている（図１から図３）。
【００２１】
第１分割筐体１０は、両端を開口させた筒状体であり、所謂フレームのことを指している（図３）。この第１分割筐体１０は、筒軸方向における両端を開口させた筒状の外周壁１１を有しており、その外周壁１１の内方を収容室Ｃａ１として利用している。また、第２分割筐体２０は、第１分割筐体１０における筒軸方向の一端の開口（第１開口）１０ａを塞ぐ蓋部材である（図３）。この第２分割筐体２０は、筒状の外周壁２１と、この外周壁２１における筒軸方向の一端を閉塞させた閉塞壁２２と、を有する（図１及び図３）。そして、この第２分割筐体２０においては、外周壁２１における筒軸方向の他端に開口２０ａが設けられている（図３）。また、第３分割筐体３０は、第１分割筐体１０における筒軸方向の他端の開口（第２開口）１０ｂを塞ぐ蓋部材である（図３）。この第３分割筐体３０は、筒状の外周壁３１と、この外周壁３１における筒軸方向の一端を閉塞させた閉塞壁３２と、を有する（図３）。そして、この第３分割筐体３０においては、外周壁３１における筒軸方向の他端に開口３０ａが設けられている（図３）。第２分割筐体２０と第３分割筐体３０は、その内の一方が所謂アッパカバーと称されるものであり、その内の他方が所謂ロアカバーと称されるものである。この例示では、第２分割筐体２０をアッパカバーとして利用し、第３分割筐体３０をロアカバーとして利用している。
【００２２】
第１分割筐体１０と第２分割筐体２０は、それぞれの外周壁１１，２１が成す開口（第１開口１０ａ，開口２０ａ）の環状の周縁部１０ｃ，２０ｂ同士を嵌め合わせることによって一体化させる（図１及び図３）。
【００２３】
第１分割筐体１０の外周壁１１は、外側の環状の外周壁体１２と内側の環状の内周壁体１３とを有する所謂二重壁構造となるように形成している（図３）。その外周壁体１２と内周壁体１３は、互いに間隔を空けて対向配置させる。よって、この第１分割筐体１０の外周壁１１の周縁部１０ｃは、その外周壁体１２と内周壁体１３によって二重壁構造になっている。また、第２分割筐体２０の外周壁２１における周縁部２０ｂは、外側の環状の外周壁体２１ａと内側の環状の内周壁体２１ｂとを有する所謂二重壁構造となるように形成している（図２）。その外周壁体２１ａと内周壁体２１ｂは、互いに間隔を空けて対向配置させる。第１分割筐体１０と第２分割筐体２０との間では、第１分割筐体１０の周縁部１０ｃにて外周壁体１２と内周壁体１３との間に第２分割筐体２０の内周壁体２１ｂを嵌め込み、かつ、第２分割筐体２０の外周壁体２１ａと内周壁体２１ｂとの間に第１分割筐体１０の外周壁体１２における周縁部１０ｃ側を嵌め込むことによって、それぞれの周縁部１０ｃ，２０ｂ同士を嵌め合わせる。
【００２４】
筐体Ｃａは、この第１分割筐体１０及び第２分割筐体２０を嵌合完了状態のまま保持するためのロック構造（以下、「筐体ロック構造」という。）４０を備える（図１及び図３）。この筐体ロック構造４０は、第１分割筐体１０及び第２分割筐体２０が嵌合完了状態となったときに互いに係止し合って完全係合状態となり、第１分割筐体１０及び第２分割筐体２０を嵌合完了状態のまま保持する第１係合体（以下、「第１筐体側係合体」という。）４１と第２係合体（以下、「第２筐体側係合体」という。）４２とを備える。この筐体ロック構造４０においては、第１筐体側係合体４１を第１分割筐体１０の外周壁１１に設け、第２筐体側係合体４２を第２分割筐体２０の外周壁２１に設けている。第１筐体側係合体４１と第２筐体側係合体４２は、第１分割筐体１０及び第２分割筐体２０が嵌合完了状態となったときに、第１分割筐体１０及び第２分割筐体２０の嵌合方向とは逆向きで互いに係止し合う係止部を有するものとして形成する。例えば、この第１筐体側係合体４１と第２筐体側係合体４２においては、それぞれの係止部の内の少なくとも一方を爪状の爪部として形成し、その爪部を他方の係止部に引っ掛けることができるように形成する。
【００２５】
第１分割筐体１０と第３分割筐体３０は、それぞれの外周壁１１，３１が成す開口（第２開口１０ｂ，開口３０ａ）の環状の周縁部１０ｄ，３０ｂ同士を嵌め合わせることによって一体化させる（図１及び図３）。それぞれの外周壁１１，３１は、第１分割筐体１０と第２分割筐体２０との間のように各々を二重壁構造にしてもよく、その内の一方のみを二重壁構造にしてもよい。また、この第１分割筐体１０と第３分割筐体３０との間には、第１分割筐体１０と第２分割筐体２０との間と同様の筐体ロック構造を設ける。
【００２６】
ここで、第１分割筐体１０は、複数の組付け部材を互いに組み付けることによって形成される。この例示の第１分割筐体１０は、その複数の組付け部材として、第１組付け部材５０と第２組付け部材６０とを備えている（図１から図５）。この第１分割筐体１０においては、その第１組付け部材５０の第１外壁体５１と第２組付け部材６０の第２外壁体６１とで筒状の外周壁１１を形成する（図１及び図３から図５）。
【００２７】
第１組付け部材５０は、第１分割筐体１０の主体を成す部材である。この第１組付け部材５０の第１外壁体５１には、切欠き部５２が形成される（図４）。この例示の切欠き部５２は、第１開口１０ａから第２開口１０ｂに亘って形成されている。よって、この第１組付け部材５０の第１外壁体５１は、第１開口１０ａから第２開口１０ｂに亘って一部が切り欠かれた略筒状のものとして形成されている。また、この例示の切欠き部５２は、第１外壁体５１の隅部に設けている。この第１分割筐体１０においては、その切欠き部５２の内側の電線Ｗｅを配策し、その電線Ｗｅを第２開口１０ｂ側から筐体Ｃａの外方に引き出す。
【００２８】
この第１外壁体５１は、第２組付け部材６０の第２外壁体６１と共に第１分割筐体１０の外周壁１１を成すものであり、二重壁構造を採っている。これ故に、この第１外壁体５１は、第１分割筐体１０の外周壁体１２の主体となる外周壁体５３と、第１分割筐体１０の内周壁体１３の主体となる内周壁体５４と、を有している（図４及び図５）。この第１組付け部材５０においては、その外周壁体５３と内周壁体５４を双方とも第１開口１０ａから第２開口１０ｂに亘って切り欠くことで、切欠き部５２が形成されている。
【００２９】
第２組付け部材６０は、第１組付け部材５０の切欠き部５２の内側の電線Ｗｅを配策させる部材であり、その切欠き部５２を埋めるものとして設ける。この例示の第２組付け部材６０は、互いに組み付けられた第１及び第２の構成部材６０Ａ，６０Ｂで筒状に形成され、その内方の空間６２に通した電線Ｗｅを筐体Ｃａの外方に引き出させる（図６）。よって、この筐体Ｃａにおいては、第３分割筐体３０が第２開口１０ｂ側で第２組付け部材６０を覆っておらず、この第２組付け部材６０の空間６２を外方に連通させている。その空間６２は、円柱状に形成され、その軸線方向を第１分割筐体１０の筒軸方向に合わせて配置される。この例示では、第１構成部材６０Ａに第２外壁体６１を設けている。
【００３０】
この第２組付け部材６０においては、第１組付け部材５０への組付けに伴い、第２外壁体６１で切欠き部５２を埋める。その第２外壁体６１は、第１組付け部材５０の第１外壁体５１と共に第１分割筐体１０の外周壁１１を成すものである。よって、この例示の第２外壁体６１は、第１外壁体５１の隅部に沿う形状（ここではＬ字状）に形成されている。
【００３１】
具体的に、この第２外壁体６１は、第１外壁体５１の外周壁体５３と共に第１分割筐体１０の外周壁体１２を成す外周壁体６３を有している（図１、図４及び図５）。その外周壁体６３は、第１開口１０ａと第２開口１０ｂとの間に亘って延在させている。この例示の外周壁体６３は、第１外壁体５１の外周壁体５３よりも板厚を薄くしてＬ字状に形成し、その外周壁体５３との間で外壁面同士が面一となるように配置する。この第２外壁体６１には、自らの内壁面及び外壁面に対する交差方向への撓みが可能な可撓性を持たせる。ここでは、外周壁体６３の板厚を薄くすることで、そのような可撓性を外周壁体６３が有している。
【００３２】
また、この第２外壁体６１は、外周壁体６３の内側で且つ周縁部２０ｂ側に、その外周壁体６３に対して間隔を空けて対向配置させた内周壁体６４を有している（図４及び図５）。その内周壁体６４における第１開口１０ａ側は、第２分割筐体２０の内周壁体２１ｂが嵌め込まれる二重壁構造を採っている。
【００３３】
第２組付け部材６０は、その内周壁体６４の内側に、第２組付け部材６０の空間６２を内側で半筒状の第２構成部材６０Ｂと共に形成する半筒状壁体６５を有している（図１及び図６）。その半筒状壁体６５と第２構成部材６０Ｂは、第１分割筐体１０の筒軸方向にて、第２開口１０ｂよりも第３分割筐体３０側に突出させる。
【００３４】
この例示の第１組付け部材５０と第２組付け部材６０は、外周壁体５３の内壁面及び外壁面と外周壁体６３の内壁面及び外壁面とに沿う方向で且つ第１分割筐体１０の筒軸方向に沿う方向に相対移動させながら組み付けていく。ここでは、第２組付け部材６０を第１開口１０ａ側から第１組付け部材５０に相対移動させながら組み付けていく。
【００３５】
第１分割筐体１０は、そのような第１組付け部材５０及び第２組付け部材６０を組付け完了状態のまま保持するためのロック構造７０を備える（図２、図４及び図５）。そのロック構造７０は、第１組付け部材５０及び第２組付け部材６０が組付け完了状態となったときに、第２外壁体６１の内壁面及び外壁面に沿う係止方向で互いに係止し合って完全係合状態となり、これにより第１組付け部材５０及び第２組付け部材６０を組付け完了状態のまま保持するものとして形成する。このロック構造７０は、第１組付け部材５０に設けた第１係合体７１と、第２組付け部材６０に設けた第２係合体７２と、を備える。
【００３６】
この例示では、その第１係合体７１と第２係合体７２とを第２外壁体６１における外周壁体６３の内壁面及び外壁面に沿う係止方向で係止させる。その係止方向は、第１組付け部材５０と第２組付け部材６０の組付け方向に対して逆向きになっている。つまり、第１係合体７１と第２係合体７２は、第１組付け部材５０及び第２組付け部材６０が組付け完了状態となったときに、その第１組付け部材５０と第２組付け部材６０の組付け方向に対する逆向きで互いに係止し合うものとして形成する。換言するならば、第１組付け部材５０と第２組付け部材６０は、その係止方向に対する逆向きの組付け方向に沿って互いに組み付けられるものとして形成している。
【００３７】
第１係合体７１は、第１組付け部材５０における切欠き部５２よりも内側に設ける。そして、第２係合体７２は、第２組付け部材６０の第２外壁体６１の内壁面側に設ける。第１組付け部材５０においては、第１組付け部材５０及び第２組付け部材６０が組付け完了状態となったときに、第１係合体７１と第２係合体７２とを対向配置させ且つ完全係合状態にさせるべく、第１係合体７１が配置される位置まで対向壁体５５を内周壁体５４から連設させ、その対向壁体５５に第１係合体７１を設ける（図２及び図４）。対向壁体５５は、第２外壁体６１における外周壁体６３の一部の内壁面に対向配置させる。一方、この例示の第２係合体７２は、第２外壁体６１における外周壁体６３の内壁面側に設ける。
【００３８】
第１係合体７１と第２係合体７２は、第１組付け部材５０及び第２組付け部材６０が組付け完了状態のときに係止方向で互いに係止し合う係止部７１ａ，７２ａを有する（図２）。それぞれの係止部７１ａ，７２ａは、第１組付け部材５０及び第２組付け部材６０の組付け動作に連動して互いに乗り上げた後で乗り越え、その乗り越え後の状態のときに係止方向で互いに係止し合って第１係合体７１及び第２係合体７２を完全係合状態にするものとして形成する。よって、それぞれの係止部７１ａ，７２ａの内の少なくとも一方は、係止対象となる相手方に向けて突出させる。例えば、それぞれの係止部７１ａ，７２ａは、その内の少なくとも一方を爪状の爪部として形成し、その爪部を他方に引っ掛けることができるように形成する。この例示では、第２係合体７２の係止部７２ａを爪状に形成し、その係止部７２ａを第２外壁体６１における外周壁体６３の内壁面から突出させている。
【００３９】
ところで、第２分割筐体２０の外周壁２１における周縁部２０ｂは、第１分割筐体１０及び第２分割筐体２０が嵌合完了状態のときに、第１分割筐体１０の外周壁１１における周縁部１０ｃの外壁面に嵌合させる環状の第１嵌合部２３を有する（図２及び図３）。この例示の第１嵌合部２３は、周縁部２０ｂの外周壁体２１ａと内周壁体２１ｂとで形成されている。
【００４０】
更に、周縁部２０ｂは、第１分割筐体１０及び第２分割筐体２０が嵌合完了状態のときに、第２外壁体６１の外壁面における第２係合体７２とは逆側に嵌合させる第２嵌合部２４を有する（図２及び図３）。これにより、第１分割筐体１０と第２分割筐体２０とを嵌合させる際には、第１係合体７１と第２係合体７２のそれぞれの係止部７１ａ，７２ａが係止方向に対する交差方向で互いに乗り上げている半係合状態のときに、可撓性を持つ第２外壁体６１が外側に撓むので、第２嵌合部２４が第２外壁体６１に当接し、第１分割筐体１０と第２分割筐体２０が嵌合完了状態にまで至らない。この筐体Ｃａにおいては、その結果を以て、第１係合体７１と第２係合体７２が半係合状態であり、第１組付け部材５０と第２組付け部材６０が組付け完了状態になっていないことを検知できる。
【００４１】
この第２嵌合部２４は、第１分割筐体１０及び第２分割筐体２０が嵌合完了状態のときに、第２外壁体６１の外壁面における第２係合体７２とは逆側に嵌合状態で対向配置させる。この例示の第２嵌合部２４は、第１嵌合部２３を成す外周壁体２１ａから同一平面上で突出させ、内壁面を外周壁体６３の外壁面における第２係合体７２とは逆側に対向配置状態で嵌合させる。
【００４２】
ここで、第１係合体７１と第２係合体７２は、それぞれの係止部７１ａ，７２ａが半係合状態のときに第２外壁体６１を撓ませ、第１分割筐体１０及び第２分割筐体２０を嵌合させる際の第２分割筐体２０の外周壁２１における周縁部２０ｂの嵌合軌跡に第２外壁体６１を食い込ませるものとして形成する。この例示の第２外壁体６１においては、第２係合体７２が設けられた外周壁体６３に可撓性を持たせている。よって、この例示の第１係合体７１と第２係合体７２は、それぞれの係止部７１ａ，７２ａが半係合状態のときに外周壁体６３を撓ませ、第１分割筐体１０及び第２分割筐体２０を嵌合させる際の第２分割筐体２０の外周壁２１における周縁部２０ｂの嵌合軌跡に撓み状態の外周壁体６３を食い込ませるものとして形成する。これにより、第１分割筐体１０と第２分割筐体２０とを嵌合させる際には、第１係合体７１と第２係合体７２のそれぞれの係止部７１ａ，７２ａが半係合状態のときに、第２嵌合部２４が第２外壁体６１の外周壁体６３に当接し、第１分割筐体１０と第２分割筐体２０が嵌合完了状態にまで至らない。この例示では、その結果を以て、第１係合体７１と第２係合体７２が半係合状態であり、第１組付け部材５０と第２組付け部材６０が組付け完了状態になっていないことを検知できる。
【００４３】
尚、第２組付け部材６０の第２開口１０ｂ側の周囲は、電線Ｗｅを空間６２から外方に引き出すため、第３分割筐体３０で覆っていない。そこで、この例示では、対向壁体５５を第２開口１０ｂ側まで延在させ、かつ、間隔を空けた対向配置状態の外周壁体６３と対向壁体５５とを対向配置方向で繋ぐ２つの壁面を第１組付け部材５０と第２組付け部材６０とに１つずつ設けている。その２つの壁面は、互いに間隔を空けて対向配置させ、第２開口１０ｂ側まで延在させる。これにより、第１分割筐体１０においては、ロック構造７０よりも下方に、第２開口１０ｂ側まで続く方体状の空間Ｓが形成される（図２）。従って、この筐体Ｃａにおいては、第２組付け部材６０の第２開口１０ｂ側の周囲に水等の液体が入り込み、その空間Ｓの開口Ｓａから液体が浸入したとしても、その液体がロック構造７０まで届かず、自重で開口Ｓａから排出されていく。よって、この筐体Ｃａにおいては、第１係合体７１と第２係合体７２の隙間から収容室Ｃａ１側への液体の浸入を抑えることができる。
【００４４】
ここで、この例示の第１組付け部材５０には、半筒状壁体６５を間に挟んで対向壁体５５に対向配置された対向壁体５６が設けられている（図２及び図４）。その対向壁体５６は、第２開口１０ｂ側まで延在させている。また、この例示の第２組付け部材６０には、半筒状壁体６５とは逆側で対向壁体５６に対向配置された対向壁体６６が設けられている（図２及び図６）。その対向壁体６６は、対向壁体５６の第１開口１０ｂ側に対向配置させる。そして、その第１組付け部材５０と第２組付け部材６０との間には、先のロック構造７０と同等の構成の別のロック構造７０が設けられている。このロック構造７０は、第１係合体７１を対向壁体５６の第１開口１０ｂ側に設け、第２係合体７２を対向壁体６６に設けている。
【００４５】
この筐体Ｃａにおいては、そのもう１つ別のロック構造７０の下方にも、先のロック構造７０の下方と同様の空間Ｓを設けている。この空間Ｓは、対向壁体５６と、半筒状壁体６５とは逆側で対向壁体５６に対して間隔を空けて対向配置させた対向壁体５７と、これらの対向壁体５６，５７を対向配置方向で繋ぐ第１組付け部材５０と第２組付け部材６０とに１つずつ設けた壁面と、で形成する。その２つの壁面は、先の例示のものと同様に、互いに間隔を空けて対向配置させ、第２開口１０ｂ側まで延在させる。この筐体Ｃａにおいては、そのもう１つ別の空間Ｓの開口Ｓａから液体が浸入したとしても、その液体がその上のロック構造７０まで届かず、自重で開口Ｓａから排出されていく。よって、この筐体Ｃａにおいては、かかる場所においても、第１係合体７１と第２係合体７２の隙間から収容室Ｃａ１側への液体の浸入を抑えることができる。
【００４６】
以上示したように、本実施形態の電気接続箱１においては、第１分割筐体１０及び第２分割筐体２０が嵌合完了状態のときに、第１分割筐体１０における外側のロック構造７０を第２分割筐体２０の第２嵌合部２４で覆い、かつ、そのロック構造７０の第１係合体７１が設けられた第２外壁体６１の外周壁体６３の外壁面に第２嵌合部２４を嵌合状態で対向配置させる。このため、第１分割筐体１０と第２分割筐体２０とを嵌合させる際には、第１係合体７１と第２係合体７２のそれぞれの係止部７１ａ，７２ａが半係合状態のときに、可撓性を持つ第２外壁体６１の外周壁体６３が外側に撓むので、第２嵌合部２４が第２外壁体６１の外周壁体６３に当接し、第１分割筐体１０と第２分割筐体２０が嵌合完了状態にまで至らない。本実施形態の電気接続箱１においては、その結果を以て、第１係合体７１と第２係合体７２が半係合状態であり、第１組付け部材５０と第２組付け部材６０が組付け完了状態になっていないことを検知できる。このように、本実施形態の電気接続箱１は、組付け部材同士の誤組付けを検知可能であり、組付け部材同士を正しい状態に組付け直すことができる。従って、本実施形態の電気接続箱１は、第１分割筐体１０と第２分割筐体２０を嵌合完了状態に組み付けることができ、また、それぞれの組付け部材の隙間からの異物の進入を抑制することができる。更に、本実施形態のワイヤハーネスＷＨは、その電気接続箱１を備えているので、この電気接続箱１が奏する効果を同様に得ることができる。
【符号の説明】
【００４７】
１  電気接続箱
１０  第１分割筐体
１０ａ  第１開口
１０ｃ  周縁部
１１  外周壁
２０  分割筐体
２０ａ  開口
２０ｂ  周縁部
２１  外周壁
２３  第１嵌合部
２４  第２嵌合部
５０  第１組付け部材
５１  第１外壁体
５２  切欠き部
６０  第２組付け部材
６１  第２外壁体
７０  ロック構造
７１  第１係合体
７１ａ  係止部
７２  第２係合体
７２ａ  係止部
Ｃａ１  収容室
ＥＰ  電子部品
Ｗｅ  電線
ＷＨ  ワイヤハーネス
【図１】
2020036497.tif 000003
【図２】
2020036497.tif 000004
【図３】
2020036497.tif 000005
【図４】
2020036497.tif 000006
【図５】
2020036497.tif 000007
【図６】
2020036497.tif 000008